(57)【要約】【課題】  印刷処理の中断時に集積部に積載されているシート束を利用するか否かを適切に選択する。【解決手段】  製本システム２０００は、印刷処理された複数のシートをシート束Ｓ１として集積する集積トレイ４２を有するくるみ製本装置１０３と、印刷ジョブを中断すべき中断要因が発生した場合に印刷処理を中断させ、中断要因が解除された場合に印刷処理を再開させるＣＰＵ２０５を有する印刷装置１０５とを有し、印刷処理の再開にあたって集積トレイ４２に集積されたシート束Ｓ１を利用して製本物を作成するか否かを選択する。【選択図】  図１６
2007196632.tif 000002
【特許請求の範囲】
【請求項１】
複数ページの画像データを含む印刷ジョブを入力する入力手段と、
前記入力手段により入力された印刷ジョブに基づいて、複数のシートに印刷処理する印刷手段と、
前記印刷手段により印刷処理された複数のシートをシート束として集積する集積手段と、
前記集積手段に集積されたシート束を用いて製本物を作成する製本手段と、
前記製本手段を用いる印刷ジョブの実行中に前記印刷ジョブを中断すべき中断要因が発生した場合に前記印刷処理を中断させ、前記中断要因が解除された場合に前記印刷処理を再開させるよう前記印刷手段を制御する制御手段と、
前記印刷処理の再開にあたって前記集積手段に集積されたシート束を利用して製本物を作成するか否かを選択する選択手段とを有し、
前記制御手段は、前記選択手段が前記シート束を利用することを選択した場合は前記中断要因に関連するページから前記印刷処理を再開させ、前記選択手段が前記シート束を利用しないことを選択した場合は前記印刷ジョブの先頭ページから前記印刷処理を再開させることを特徴とする製本装置。
【請求項２】
前記印刷ジョブは、前記印刷手段が実行する印刷処理の処理条件を示す処理条件情報を含み、
前記選択手段は、前記処理条件情報に基づいて、前記シート束を利用して製本物を作成するか否かを選択することを特徴とする請求項１に記載の製本装置。
【請求項３】
前記製本装置の操作者から、前記印刷処理の再開にあたって前記集積手段に集積されたシート束を利用して製本物を作成するか否かを指定する情報の入力を受け付ける受付手段を有し、
前記選択手段は、前記操作者により入力された情報に基づいて、前記シート束を利用して製本物を作成するか否かを選択することを特徴とする請求項１に記載の製本装置。
【請求項４】
前記選択手段は、前記中断要因に応じて前記シート束を利用して製本物を作成するか否かを選択することを特徴とする請求項１に記載の製本装置。
【請求項５】
前記印刷処理手段は、前記画像データに応じた現像剤像をシート上に形成することにより印刷処理を実行し、
前記印刷装置は、前記現像剤を保持する保持手段を有し、
前記選択手段は、前記中断要因が前記保持手段が保持する現像剤の不足である場合に、前記シート束を利用しないことを選択することを特徴とする請求項４に記載の製本装置。
【請求項６】
前記印刷装置の内部におけるシートの搬送路上で搬送不良が発生したか否かを検知する検知手段を有し、
前記選択手段は、前記中断要因が前記搬送不良の発生である場合に、前記シート束を利用しないことを選択することを特徴とする請求項４に記載の製本装置。
【請求項７】
前記シートを積載するシート積載手段を有し、
前記選択手段は、前記中断要因が前記シート積載手段に積載されるシートの不足である場合に、前記シート束を利用することを選択することを特徴とする請求項４に記載の製本装置。
【請求項８】
表紙がレイアウトされたカバーシートを給紙する給紙手段を有し、
前記製本手段は、前記シート束の一端と前記カバーシートの前記製本物の背となる部分を糊付けして前記製本物を作成することを特徴とする請求項４乃至７のいずれかに記載の製本装置。
【請求項９】
前記中断要因が発生した際に前記集積手段に集積されているシートの枚数を計数する計数手段を有し、
前記選択手段は、前記計数手段が計数するシートの枚数に基づいて、前記シート束を利用して製本物を作成するか否かを選択することを特徴とする請求項１に記載の製本装置。
【請求項１０】
前記中断要因が発生した際に前記集積手段に集積されているシートの枚数を計数する計数手段を有し、
前記選択手段は、前記計数手段が計数するシートの枚数が第１枚数以下である場合は前記シート束を利用しないことを選択し、前記計数手段が計数するシートの枚数が前記第１枚数より大きい第２枚数以上である場合は前記シート束を利用することを選択することを特徴とする請求項１に記載の製本装置。
【請求項１１】
前記計数手段が計数するシートの枚数が前記第１枚数より大きく前記第２枚数より小さい場合に、前記製本装置の操作者から、前記印刷処理の再開にあたって前記集積手段に集積されたシート束を利用して製本物を作成するか否かを指定する情報の入力を受け付ける受付手段を有し、
前記選択手段は、前記操作者により入力された情報に基づいて、前記シート束を利用して製本物を作成するか否かを選択することを特徴とする請求項１０に記載の製本装置。
【請求項１２】
前記シートのタイプに応じて、前記第１枚数および前記第２枚数を異ならせることを特徴とする請求項１０又は１１に記載の製本装置。
【請求項１３】
複数ページの画像データを含む印刷ジョブを入力する入力工程と、
前記入力工程により入力された印刷ジョブに基づいて複数のシートに印刷処理して集積部に集積させ、前記集積部に集積されたシート束を用いて製本物を作成する印刷工程と、
前記印刷工程の実行中に前記印刷工程を中断すべき中断要因が発生した場合に前記印刷工程を中断させる中断工程と、
前記中断工程にて中断された前記印刷工程の再開にあたって前記集積部に集積されたシート束を利用して製本物を作成するか否かを選択する選択工程と、
前記選択工程が前記シート束を利用することを選択した場合は前記中断要因に関連するページから前記印刷工程を再開させ、前記選択工程が前記シート束を利用しないことを選択した場合は前記印刷ジョブの先頭ページから前記印刷工程を再開させる再開工程とを有することを特徴とする製本方法。
【発明の詳細な説明】
【技術分野】
【０００１】
本発明は、製本装置及び製本方法に関する。
【背景技術】
【０００２】
従来から、複数ページのシート（紙）からなるシート束を用いて製本物を作成する製本装置が知られている。
【０００３】
製本装置は、複数ページのシートからなるシート束を集積部に一旦集積させ、シート束に糊付けやステイプル処理をして製本物を生成する。
【０００４】
製本の種類としては、種々の方式が知られている。その一例として、シート束のシートサイズより大きいカバーシート（例えば、Ａ４のシート束に対するＡ３のカバーシート）の中央部を、シート束の一端と糊付けして包み込むくるみ製本方式が知られている（例えば、特許文献１参照。）。
【特許文献１】特開２００４−１５５１５２号公報
【発明の開示】
【発明が解決しようとする課題】
【０００５】
製本装置においては、印刷処理の途中において、印刷処理を中断しなければいけない中断要因が発生する場合がある。この場合、印刷処理を中断させて、中断要因を解除した後に印刷処理を再開させることとなる。印刷処理を中断しなければいけない要因が発生した場合は、集積部にすでに印刷処理済みのシートの一部が集積されていることがある。印刷処理の再開にあたっては、集積部に積載されている印刷処理済みのシートを用いて製本処理した方が、シートの無駄が無く経済的である。しかし、印刷処理を中断したことにより印刷処理済のシートに何らかの不具合（シートの破損、汚れ等）が発生して場合、不具合のある製本物が作成されてしまう。
【０００６】
本発明は、上記の問題を鑑みてなされたものであり、印刷ジョブを中断すべき中断要因が発生した場合に、印刷処理の中断時に集積部に積載されている印刷処理済みのシート束を利用することによる経済性を優先させるか、そのシート束を利用しないことによる製本物の不具合の除去を優先させるかを選択する製本装置及び製本方法を提供することを目的とする。
【課題を解決するための手段】
【０００７】
上記目的を達成するために、本発明の製本装置は、複数ページの画像データを含む印刷ジョブを入力する入力手段と、前記入力手段により入力された印刷ジョブに基づいて、複数のシートに印刷処理する印刷手段と、前記印刷手段により印刷処理された前記複数のシートをシート束として集積する集積手段と、前記集積手段に集積されたシート束を用いて製本物を作成する製本手段と、前記製本手段を用いる印刷ジョブの実行中に前記印刷ジョブを中断すべき中断要因が発生した場合に前記印刷処理を中断させ、前記中断要因が解除された場合に前記印刷処理を再開させるよう前記印刷手段を制御する制御手段と、前記印刷処理の再開にあたって前記集積手段に集積されたシート束を利用して製本物を作成するか否かを選択する選択手段とを有し、前記制御手段は、前記選択手段が前記シート束を利用することを選択した場合は前記中断要因に関連するページから前記印刷処理を再開させ、前記選択手段が前記シート束を利用しないことを選択した場合は前記印刷ジョブの先頭ページから前記印刷処理を再開させることを特徴とする。
【０００８】
また、本発明の製本方法は、複数ページの画像データを含む印刷ジョブを入力する入力工程と、前記入力工程により入力された印刷ジョブに基づいて複数のシートに印刷処理して集積部に集積させ、前記集積部に集積されたシート束を用いて製本物を作成する印刷工程と、前記印刷工程の実行中に前記印刷工程を中断すべき中断要因が発生した場合に前記印刷工程を中断させる中断工程と、前記中断工程にて中断された前記印刷工程の再開にあたって前記集積部に集積されたシート束を利用して製本物を作成するか否かを選択する選択工程と、前記選択工程が前記シート束を利用することを選択した場合は前記中断要因に関連するページから前記印刷工程を再開させ、前記選択工程が前記シート束を利用しないことを選択した場合は前記印刷ジョブの先頭ページから前記印刷工程を再開させる再開工程とを有することを特徴とする。
【発明の効果】
【０００９】
本発明によれば、印刷ジョブを中断すべき中断要因が発生した場合に、印刷処理の中断時に集積部に積載されている印刷処理済のシート束を利用することによる経済性を優先させるか、そのシート束を利用しないことによる製本物の不具合の除去を優先させるかを選択する製本装置及び製本方法を提供することができる。
【発明を実施するための最良の形態】
【００１０】
以下、添付図面を参照して本発明の実施の形態を説明する。
【００１１】
（第１の実施形態）
＜製本システム（製本装置）の全体構成＞
図１は、本発明の実施形態に対応する製本システム（製本装置）の全体構成を示す図である。
【００１２】
図１において、１０５は印刷装置であり、画像データに基づいてシートに印刷処理をするとともに、印刷処理されたシートをスタッカ装置１０４へ搬送する。スタッカ装置１０４は、印刷装置１０５から搬送されたシートをスタックトレイ（不図示）に積載する。また、スタッカ装置１０４は、印刷装置１０５から搬送されたシートをスタックトレイに積載することなく、くるみ製本装置１０３へ搬送することもできる。くるみ製本装置１０３は、印刷装置１０５からスタッカ装置１０４を介して搬送される複数のシートＳを後述する集積トレイ４２にシート束Ｓ１として積載する。そして、集積トレイ４２に積載されたシート束Ｓ１を後述するカバーシート積載トレイ７０に積載されたカバーシートＳ２でくるむことでくるみ製本物を作成する。
【００１３】
なお、くるみ製本装置１０３は、スタッカ装置１０４から搬送されたシートＳを集積トレイ４２に積載することなく、中綴じ製本装置１０２へ搬送することもできる。中綴じ製本装置１０２は、印刷装置１０５からくるみ製本装置１０３を介して搬送される複数のシートＳからなるシート束Ｓ１に対してステイプル処理を実行することで中綴じ製本物を作成する。なお、中綴じ製本装置１０２にて作成された中綴じ製本物は、断裁装置１０１に搬送され断裁処理が実行される。
【００１４】
なお、図１では製本システム（製本装置）２０００を、印刷装置１０５、スタッカ装置１０４、くるみ製本装置１０３、中綴じ製本装置１０２及び断裁装置１０１で構成したが他の構成であってもよい。少なくとも印刷装置１０５とくるみ製本装置１０３を組み合わせることで、本実施形態に対応する製本システム（製本装置）２０００を構成することができる。
【００１５】
＜印刷装置の制御構成＞
図２は、本発明の実施形態に対応する印刷装置１０５の制御構成を示すブロック図である。
【００１６】
図２において２０１はスキャナ部であり、複数枚の原稿（紙等のシートに画像が印刷されたもの）を光学的に読み取って画像データを生成するとともに、読み取られた画像データに対して画像処理（例えば、シェーディング補正処理）を実行する。そして、スキャナ部２０１は、画像処理が実行された複数ページの画像データを１つの印刷ジョブとしてハードディスク（ＨＤＤ）２０９へ記憶させる。２０２は外部Ｉ／Ｆであり、印刷装置１０５にネットワーク２３２を介して接続されたコンピュータ端末２３３から複数ページの画像データを含む印刷ジョブを受信する。そして、外部Ｉ／Ｆ２０２は、コンピュータ端末２３３から受信した印刷ジョブをハードディスク２０９へ記憶させる。２０３はプリンタ部であり、ハードディスク２０９に記憶された印刷ジョブに基づいて、複数のシートに印刷処理をする。なお、印刷ジョブは複数ページの画像データから構成されているので、複数の画像データが複数のシートの各々に印刷処理される。２０４は操作部であり、印刷装置１０５の操作者による各種の指示を受け付け、受け付けた指示をメモリコントローラ部２０６へ伝えることで印刷装置１０５に各種の設定を行うものである。
【００１７】
ＣＰＵ２０５は、ＲＯＭ２０７から読み込んだプログラムをＲＡＭ２０８へ書き込み、ＲＡＭ２０８を用いてプログラムを実行することで印刷装置１０５を含む製本システム２０００の全体を制御する。なお、ＲＯＭ２０７には、外部Ｉ／Ｆ２０２が外部装置から印刷ジョブとして受信したＰＤＬ（Ｐａｇｅ  Ｄｅｓｃｒｉｐｔｉｏｎ  ｌａｎｇｕａｇｅ：ページ記述言語）コードデータを解釈するためのプログラムが記憶されている。さらに、ＲＯＭ２０７には、ＰＤＬコードデータを解釈した後にプリント部２０３にて印刷可能なデータを生成するためのプログラムが記憶されている。メモリコントローラ部２０６は、ＲＯＭ２０７、ＲＡＭ２０８、及びハードディスク２０９に対する、各部からのアクセスを制御する。
【００１８】
圧縮伸長部２１０は、ＪＢＩＧやＪＰＥＧ等といった各種圧縮方式によってＲＡＭ２０８、ハードディスク２０９に記憶されている画像データに圧縮処理を実行することができる。また、圧縮伸長部２１０は、各種圧縮方式により圧縮処理された画像データを伸長する伸長処理を実行することができる。
【００１９】
回転部２３１は、ハードディスク２０９に記憶された画像データをプリンタ部２０３へ送信して印刷処理を実行させるにあたって、画像データを回転させる必要がある場合に、回転処理を実行するものである。回転部２３１は、回転処理として、画像データの天地方向を逆転させる１８０°回転処理や、９０°回転処理等の、任意の角度の回転処理を実行することができる。なお、回転部２３１が実行する回転処理の回転角度の設定等は、ＣＰＵ２０５からできるものとする。
【００２０】
オプションＩ／Ｆ２３０は、ＣＰＵ２０５が、印刷装置１０５に接続されるオプション装置としてのスタッカ装置１０４、くるみ製本装置１０３、中綴じ製本装置１０２及び断裁装置１０１と通信するためのインターフェースである。スタッカ装置１０４、くるみ製本装置１０３、中綴じ製本装置１０２及び断裁装置１０１は各々内部の動作を制御するためのＣＰＵ（不図示）を有する。そして、印刷装置１０５のＣＰＵ２０５は、オプションＩ／Ｆ２３０を介して各オプション装置のＣＰＵを制御するための制御コマンドを送信することにより、スタッカ装置１０４、くるみ製本装置１０３、中綴じ製本装置１０２及び断裁装置１０１を制御する。
【００２１】
＜印刷装置の構成＞
次に、印刷装置１０５の構成について、図３を用いて説明する。
【００２２】
印刷装置１０５は、大きく分けてスキャナ部２０１およびプリンタ部２０３から構成される。スキャナ部２０１は、原稿給送ユニット２５０に積載されたシート束をその積載順に従って先頭（最上部）から順次１枚ずつプラテンガラス２１１上に給送する。そして原稿給送ユニット２５０は、スキャナユニット２２０による読み取り動作が終了した後、排出トレイ２１９に排出する。スキャナユニット２１０は、プラテンガラス２１１上に原稿シートが搬送されると、ランプ２１２を点灯して光学ユニット２１３の移動を開始させ、シート状の原稿を下方から照射しながら走査する。原稿からの反射光が複数のミラー２１４、２１５、２１６およびレンズ２１７を通ってＣＣＤイメージセンサ（以下、ＣＣＤ）２１８に導かれ、走査された原稿上の画像はＣＣＤ２１８によって画像データとして読み取られる。ＣＣＤ２１８で読み取られた画像データは、所定の画像処理が施された後、ハードディスク２０９に記憶される。
【００２３】
プリンタ部２０３は、ハードディスク２０９から読み出される画像データに対応するレーザ光を、レーザドライバ３２１によって駆動されるレーザ発光部３２２から出力する。レーザ光を照射された感光ドラム３２３にはレーザ光に応じた静電潜像が形成され、現像器３２４は静電潜像の部分に現像剤（例えば、トナー）を付着させる。
【００２４】
一方、レーザ光の照射開始と同期したタイミングで、カセット３１１、カセット３１２、カセット３１３、カセット３１４、手差しトレイ３１５の何れかからシートＳを給紙し、搬送路３３１を経由して転写部３２５まで搬送する。ここで、手差しトレイ３１５には、シートＳが載置されたことを検知するシート検知センサ３１５ａが設けられている。転写部３２５は感光ドラム３２３に付着している現像剤をシートＳ上に転写する。現像剤が転写されたシートＳは搬送ベルト３２６によって定着部３２７に搬送され、定着部３２７にて加熱される。それによりシートＳ上の現像剤は、シートＳに定着される。現像剤が定着したシートＳは、搬送路３３５、３３４を経由してスタッカ装置１０４に搬送される。スタッカ装置１０４にシートＳを搬送するにあたってシートＳを反転させてから搬送する場合、ＣＰＵ２０５はシートＳを搬送路３３６、３３８まで導くようプリンタ部２０３を制御する。そしてその後に、シートＳを逆方向に搬送し、搬送路３３７、３３４を経由してスタッカ装置１０４にシートＳを搬送する。
【００２５】
＜くるみ製本装置の構成＞
次に、図８を用いてくるみ製本装置１０３の構成について説明する。
【００２６】
くるみ製本装置１０３は、シートＳを搬送して整合する搬送整合部２１と、接着剤塗布部２２と、裁断部２３とを少なくとも備えている。なお、裁断部２３における裁断は、シート束Ｓ１の接着面以外の三方向を裁断することが可能である。
【００２７】
搬送整合部２１は、印刷装置１０５からスタッカ装置１０４を経て搬送されたシートＳを搬送する第１の搬送路Ｔ１と、第１の搬送路Ｔ１から二股に分岐する第２および第３の搬送路Ｔ２，Ｔ３とを備えている。第１の搬送路Ｔ１には搬入ローラ対２５が設けられており、この搬入ローラ対２５の下流側には、第２の搬送路Ｔ２と第３の搬送路Ｔ３との分岐部に、搬送路を切り替えるための切替フラッパ２７が設けられている。
【００２８】
このような搬送路の形態において、ＣＰＵ２０５が通常の排出モードを選択すると、印刷装置１０５から第１の搬送路Ｔ１を通じてくるみ製本装置１０３内に搬入されたシートＳは、切替フラッパ２７によって第３の搬送路Ｔ３へと案内される。そして、この第３の搬送路Ｔ３に設けられた複数の搬送ローラ対２９を介して、中綴じ製本装置１０２へ搬送される。一方、ＣＰＵ２０５がくるみ製本モードを選択すると、シートＳは、切替フラッパ２７によって第２の搬送路Ｔ２へと案内されるとともにに、さらに、搬送整合部２１の整合域を構成する集積トレイ４２に搬送される。この集積トレイ４２は、シートＳを受ける受け部４２ａを備えており、この受け部４２ａによって所定枚数のシートＳを傾斜させた状態で積載し、１つのシート束Ｓ１を形成する。
【００２９】
また、受け部４２ａは、所定枚数のシートＳからなるシート束Ｓ１が形成されると、位置Ｐ１へと下方に向けて所定距離だけ移動された後、その移動方向と直交する方向（斜め下方）に所定距離だけ移動されることにより位置Ｐ２に位置決めされる。このような受け部４２ａの移動は、詳細に図示しない移動機構によって行なわれる。
【００３０】
また、第２の位置Ｐ２には、受け部４２ａ上に積載されたシート束Ｓ１の端部を保持するグリッパ（搬送手段）５５ａ，５５ｂが設けられている。これらのグリッパ５５ａ，５５ｂは、保持したシート束Ｓ１を、略鉛直方向に向ける（略鉛直方向に立たせる）。そして、その略鉛直状態を維持したまま（シート束Ｓ１の１つの端縁（後述する接着剤が塗布される端縁）を下にして）接着剤塗布部２２に向けて下方に移動させる。
【００３１】
そして、シート束Ｓ１は、接着ユニット６６の移動経路における塗布領域上の所定の位置に略鉛直状態で位置決めされる。次に、待機位置で待機していた接着ユニット６６が塗布領域の所定の起点位置へと移動される。そして、その後、接着ユニット６６は、塗布ローラ６８ｂが正回転されてシート束Ｓ１の端縁に接触された状態で、起点位置から所定の折り返し位置に向けシート束Ｓ１に対して移動される。これにより、シート束Ｓ１の端縁には、容器６６ａ内の接着剤を表面に担持した塗布ローラ６８ｂにより、接着剤が満遍なく塗布されていく。
【００３２】
接着ユニット６６が前述した折り返し位置に達すると、塗布ローラ６８ｂの正回転が停止され、接着ユニット６６の移動も停止される。そして、この時点から、今度は、塗布ローラ６８ｂが逆回転された状態で、接着ユニット６６が折り返し位置から起点位置に向けて移動し始める。そして、接着ユニット６６が再度起点位置に達した段階で、塗布ローラ６８ｂの逆回転が停止され、接着ユニット６６の移動も停止される。そして、以上のような往復移動が例えば２回行なわれた後、接着剤の塗布作業が終了する。
【００３３】
シート束Ｓ１の端縁に対する接着剤の塗布が終了すると、接着ユニット６６が待機位置もしくは補充位置へと移動され、シート束Ｓ１の搬送経路が確保される。その後、この略鉛直な搬送経路を通じて（接着ユニット６６の移動方向と交差する方向で）、グリッパ５５ａ，５５ｂにより挟持されたシート束Ｓ１が表紙接着部６０へと下降される。
【００３４】
また、このようにしてシート束Ｓ１の端縁に接着剤が塗布されるまでの間に、表紙接着部６０にはカバーシート積載トレイ７０から既にカバーシートＳ２が搬送されて待機されている。そしてカバーシートＳ２の背表紙領域１００２の裏側は、シート束Ｓ１の略鉛直な搬送経路を横切る表紙接着部６０の所定位置に位置決めされる。そして、この位置決めされたカバーシートＳ２に対し、接着剤が塗布されたシート束Ｓ１の端縁がグリッパ５５ａ，５５ｂによって上側から鉛直方向で押し付けられる。また、この状態で、シート束Ｓ１は、接着剤によりその端縁にカバーシートＳ２が付着されたまま、グリッパ５５ａ，５５ｂによって更に鉛直下方へと移動され、表紙接着部６０の下側に位置するスライド自在な突き当て板５９に押し付けられる。その後、カバーシートＳ２およびシート束Ｓ１は、突き当て板５９に突き当てられた状態で、スライド自在な背折り板によって両側からプレスされる。これにより、カバーシートＳ２には、シート束Ｓ１の厚さに応じた折り目が形成される。
【００３５】
次に、突き当て板５９が外側にスライド移動して、シート束Ｓ１の搬送経路が形成された後、グリッパ５５ａ，５５ｂは、カバーシートＳ２が接着されたシート束Ｓ１を挟持したまま下方の裁断部２３へと引き渡す。
【００３６】
次に、裁断部２３について説明する。
１２０は断裁ユニット、１２１は回転テーブル、１２２は回転テーブル１２１上のシート束Ｓ１を挟持固定する回転自在のグリッパ、１２２ａはグリッパ１２２を回転テーブル１２１に対して押圧するグリッパ駆動機構である。また、１２２ｂはグリッパ１２２を断裁ユニット１２０の方向へ自在に移動させるグリッパ移動機構、１２２ｃはグリッパ１２２を保持するグリッパフレームである。断裁ユニット１２０は、断裁刃１２０ａと、断裁時にシート束Ｓ１の端部を押圧する可動押え板１２０ｂと、固定押え板１２０ｃと、これらを駆動する押え板移動機構とを備えている。
【００３７】
カバーシートＳ２が接着されたシート束Ｓ１がグリッパ５５ａ，５５ｂによって裁断部２３へ引き渡されると、シート束Ｓ１が断裁刃１２０ａの方へと鉛直方向に搬送される。シート束Ｓ１が裁断刃１２０ａまで搬送されると、グリッパ１２２が駆動されて、シート束Ｓ１がグリッパ１２２と回転テーブル１２１との間で挟持固定される。
【００３８】
次に、断裁刃１２０ａは、シート束Ｓ１の厚さ情報に基づいて、シート束Ｓ１の回転および移動に必要な隙間を形成するべく所定位置まで移動して待機する。そして、断裁刃１２０ａは、シート束Ｓ１の１つの端縁を断裁する。
【００３９】
なお、１つの端縁が断裁されたら、再び、押え板１２０ｂおよび断裁刃１２０ａは、シート束Ｓ１の厚さ情報に基づいて、シート束Ｓ１の回転および移動に必要な隙間を形成するべく所定位置まで移動して待機する。そして、再度、回転テーブル１２１およびグリッパ１２２が駆動され、回転テーブル１２１とグリッパ１２２とによって挟持されているシート束Ｓ１は、次に裁断するべき端縁を断裁刃１２０ａによって断裁できる位置まで回転（１８０°回転）および移動される。そして断裁刃１２０ａは、シート束Ｓ１の１つの端縁を断裁する。また、同様の動作によりシート束Ｓ１の３つ目の端縁を断裁する。
【００４０】
以上のようにして３つの端縁の裁断が完了すると、回転テーブル１２１が元の位置に戻され、グリッパ１２２と回転テーブル１２１とで挟持されたシート束Ｓ１が排出ローラ１２３を介して収納部３４へと搬送される。この場合、排出ローラ１２３により吐き出されるシート束Ｓ１は、フラッパ１２５により収納部３４内に押し込まれるとともに、接着剤が塗布された端縁Ｓ１ａを下にした略鉛直に立てられた状態で集積収納される。なお、以下の説明において、カバーシートＳ２が接着されたシート束Ｓ１を製本物Ｓ３と呼ぶ。
【００４１】
＜操作部の構成＞
次に、図４を用いて印刷装置１０５が備える操作部２０４の構成について説明する。
操作部２０４は、各種ハードキー４−２４１〜４−２４６を含むハードキー群４−２４０を備える。また、操作部２０４は、液晶表示装置からなるドットマトリックスで構成される液晶表示部４−２５０を有する。液晶表示部４−２５０は表面にタッチパネルを備えている。操作部２０４は、印刷装置１０５の操作者がキー表示部を押下したことによりキー入力がされたことを検知し、ＣＰＵ２０５へキー入力に応じた信号を送信する。そして、ＣＰＵ２０５は、ＲＯＭ２０７に記憶されたプログラムに基づいて印刷装置１０５を制御し、受信した信号に応じた動作を実行する。
【００４２】
キー４−２４３は電源キーで、電源のＯＮ／ＯＦＦをする為のキーである。キー４−２４４は節電キーで、節電モードにする／節電モードを解除する為のキーである。スタートキー４−２４１は、スキャナ部２０１による原稿上の画像の読み取り動作を開始させる指示等の各種処理をスタートさせる指示を操作者に入力させる為のキーである。ストップキー４−２４２は、印刷装置１０５を含む製本システム２０００により実行中の動作を中止させる指示を操作者に入力させる為のキーである。
【００４３】
また、キー群４−２４５は、コピー枚数、ズーム倍率等を入力させる０〜９までのテンキーとその入力をクリアするためのクリアキーを有する。このキー郡４−２４５で入力されたコピー部数は、液晶表示部４−２５３に表示される。リセットキー４−２４６は、液晶表示部４−２５０やハードキー群４−２４０を介して操作者により設定された設定条件を初期状態に戻すためのキーである。
【００４４】
液晶表示部４−２５０は、ＣＰＵ２０５からの指示により、製本システム２０００の動作状態等を表示する。液晶表示部４−２５０には、タッチキーも表示される。液晶表示部４−２５０において、キー４−２５２は、印刷装置１０５が印刷処理に用いるシートＳ（用紙）が積載されたカセットを選択するキーである。ＣＰＵ２０５は、このキーが操作者により押下されると、液晶表示部４−２５０に図５（ａ）に示す用紙選択画面を表示するよう操作部２０４を制御する。
【００４５】
図５（ａ）に示す用紙選択画面のキー群４−２７１で印刷処理に用いるカセット（カセット３１１〜３１５のいずれか）が選択される。そして、ＣＰＵ２０５は、閉じるキー４−２７０が操作者により押下されると、この画面は閉じて図４の画面に戻し、選択されたカセットを表示部４−２５１に表示させる。
【００４６】
図４のキー４−２５８、４−２６２は、濃度調整を行うためのキーである。ＣＰＵ２０５は、これらのキーにより調整される濃度を表示部４−２６３に表示させる。キー４−２５９は、自動濃度調整機能をＯＮ／ＯＦＦするためのキーである。キー４−２６１は写真モード／テキストモード等の設定を行うためのキーである。
【００４７】
キー４−２５４，キー４−２５５は、それぞれ等倍，縮小／拡大を設定するためのキーである。キー４−２５５が押下されると、ＣＰＵ２０５は液晶表示部４−２５０に、図５（ｂ）に示す倍率画面を表示させ、拡大縮小を詳細に設定可能にする。図５（ｂ）に示す倍率画面のキー群４−２７３で倍率が選択され、閉じるキー４−２７２が操作者により押下されると、ＣＰＵ２０５はこの画面は閉じて図４の画面に戻す。そして、ＣＰＵ２０５は、設定された倍率を表示部４−２５１に表示させる。
【００４８】
キー４−２５７は両面キーで、キー４−２５７が押下されると、ＣＰＵ２０５は液晶表示部４−２５０に、図５（ｃ）に示す両面印刷設定画面を表示させる。以下、両面印刷の設定に関して図５（ｃ）を参照して説明する。
【００４９】
図５（ｃ）において、キー４−２８０は、片面にのみ画像が印刷された原稿（以下、片面原稿）を用いてシートの両面に印刷処理するための設定キーである。そして、キー４−２８１は、両面に画像が印刷された原稿（以下、両面原稿）を用いてシートの両面に印刷処理するための設定キーである。キー４−２８３は、両面原稿をもちいてシートの片面のみに印刷処理するための設定キーである。また、キー４−２８４は、ページ連写両面を行うための設定キーである。
【００５０】
キー４−２８５は、図５（ｃ）の両面印刷設定画面において操作者によりなされた設定を有効にするためのキーである。このキーが押下されると、ＣＰＵ２０５は、図５（ｃ）の両面印刷設定画面での設定を有効にし、液晶表示部４−２５０の表示を図４の画面に戻す。また、キー４−２８２は、図５（ｃ）において行った設定を取り消すためのキーであり、このキーが押下されると、ＣＰＵ２０５は、図５（ｃ）の両面印刷設定画面での設定を無効にし、液晶表示部４−２５０の表示を図４の画面に戻す。
【００５１】
キー４−２８６は、詳細設定をユーザにより実行可能にする為のキーである。このキー４−２８６がユーザにより押下されると、ＣＰＵ２０５は、液晶表示部４−２５０に、図５（ｄ）に示す画面を表示させる。以下、両面印刷の詳細設定に関して図５（ｄ）を参照して説明する。
【００５２】
図５（ｄ）において、キー４−２９０は、印刷装置１０５が印刷処理したシートＳを左右開きの印刷物とするための設定キーであり、キー４−２９１は、シートＳを上下開きの印刷物とするための設定キーである。キー４−２９１又はキー４−２９２により両面印刷の種類を選択し、閉じるキー４−２９２が押下されると、ＣＰＵ２０５はこの画面は閉じ、液晶表示部４−２５０の表示を図５（ｃ）の画面に戻す。
【００５３】
以上示したように、図５（ｃ）の両面印刷設定画面，図５（ｄ）の両面印刷詳細設定画面により、両面印刷が設定可能となる。
【００５４】
図４の表示画面上のキー４−２５６は、シート処理装置２３０により実行させるべきシート処理をユーザが指示する為の設定画面を操作部１２３の表示部に表示させる指示をユーザにより入力可能にする為のソータキーである。
【００５５】
キー４−２５６が操作者により押下されると、ＣＰＵ２０５は、操作部２０４の液晶表示部４−２５０の表示を、例えば、後述する図６（ｃ）に示す画面に移行させる。そして、ＣＰＵ２０５は、操作部２０４の液晶表示部４−２５０に、シート処理装置２３０により実行可能なシート処理の候補（くるみ製本処理、中綴じ製本）を操作者に提示する。
【００５６】
ＣＰＵ２０５は、図６（ｃ）のようなシート処理設定画面を介して、所望のシート処理の実行指示を、操作者から受け付ける。そして、ＣＰＵ２０５は、シート処理設定画面を介して操作者により選択された製本処理を実行させるように、製本システム２０００を制御する。
【００５７】
以下、図６を参照して、本実施形態の製本システム２０００における製本設定手順の流れについて説明する。
【００５８】
なお、シートＳの印刷処理に用いる複数ページの画像データを入力する方法としては、スキャナ部２０１から入力する方法（以下、第１の入力方法と呼ぶ）がある。また、コンピュータ端末２３３から入力する方法（以下、第２の入力方法と呼ぶ）もある。そこで、以下の説明では２つの入力方法の各々について説明する。
【００５９】
＜製本設定手順−第１の入力方法＞
図６は、ＣＰＵ２０５が、図４に示した操作部２０４の液晶表示部４−２５０に表示させる操作画面の一例を示す図である。
【００６０】
図６（ａ）は、図４に示す操作画面上のキー４−２６０が操作者により押下されたことに応じて、ＣＰＵ２０５が表示部４−２５０に表示させる応用モード画面である。
【００６１】
図６（ａ）の画面上のキー６０１は、製本モード（くるみ製本又は中綴じ製本）を設定するためのキーである。キー６０１が操作者により押下されると、ＣＰＵ２０５は、表示部４−２５０に、図６（ｂ）に示す原稿サイズ選択画面を表示させる。
【００６２】
図６（ｂ）は、製本モードにおいて製本される製本物Ｓ３の本文となるシートＳを印刷処理するのに用いる原稿のサイズを指定するための操作画面である。図６（ｂ）の画面上のキー群８０２は、本文となる原稿シートのサイズを操作者により設定させる為の原稿サイズ指定キーである。例えば、操作者により、図６（ｂ）の画面上の「Ａ４」サイズが押下され「次へ」キーが押下されると、ＣＰＵ２０５は、液晶表示部４−２５０に図６（ｃ）に示す操作画面を表示させる。
【００６３】
図６（ｃ）は、製本の種類を設定するための画面である。図６（ｃ）の画面上のくるみ製本キー６０３を押下することで、操作者は、くるみ製本処理を指定することが出来る。一方、図６（ｃ）の設定画面上の中綴じ製本キー８０４を操作者が押下することで、中綴じ製本処理を指定することが出来る。そして、ＣＰＵ２０５は、操作者がくるみ製本キー６０３を押下してくるみ製本処理を指定した場合、図７（ａ）に示す画面を液晶表示部４−２５０に表示させる。
【００６４】
図７（ａ）は、製本物Ｓ３を左開きの製本物として作成するか、右開きの製本物として作成するかを指定する画面である。ＣＰＵ２０５は、左開きキー７０１を押下したうえでキー７０３を押下することで、製本モードとして左開き製本モードを指定する。一方、ＣＰＵ２０５は、右開きキー７０２を押下したうえでキー７０３を押下することで、製本モードとして右開き製本モードを指定する。そして、ＣＰＵ２０５は、キー７０３が押下されたことにより、液晶表示部４−２５０に図７（ｂ）に示す画面を表示させる。
【００６５】
図７（ｂ）は、製本物Ｓ３を作成するために表紙として用いるカバーシートＳ２のシートサイズと、カバーシートＳ２の給紙箇所を指定するための画面である。本実施形態では、カバーシートＳ２はカバーシート積載トレイ７０に積載するので、用紙選択キー７０４が押下された後に液晶表示部４−２５０に表示される画面（不図示）にてカバーシート積載トレイ７０を指定するものとする。また、図７（ｂ）は、製本物Ｓ３を作成するために本文として用いるシートＳのシートサイズと、シートＳの給紙箇所を指定するための画面でもある。ＣＰＵ２０５は、用紙選択キー７０５が押下されると、図５（ａ）に示す画面を表示させ、カセット３１１〜３１５のいずれのカセットからシートＳを給紙するかを操作者に指定させる。そして、ＣＰＵ２０５は、用紙選択キー７０４及び７０５を介してカバーシートＳ及びシートＳの選択がされた後にキー７０６が押下されたことにより、カバーシートＳ及びシートＳに関する設定を確定させる。そして、ＣＰＵ２０５は、液晶表示部４−２５０に図７（ｃ）に示す画面を表示させる。
【００６６】
図７（ｃ）は、製本物Ｓ３の本文となるシート束Ｓ１の印刷処理をするために用いる原稿シートをスキャナ部２０１で読み取るための設定をする画面である。キー７０７はシート束Ｓ１の印刷処理をするために用いる原稿シートのサイズを設定するためのものである。ＣＰＵ２０５は、キー７０７が押下されたことにより、図６（ｂ）の画面を表示させ、操作者に原稿シートのサイズを指定させる。そして、ＣＰＵ２０５は、操作者が原稿のサイズを指定したことにより原稿のサイズを確定させる。また、７０８はシート束Ｓ１の印刷処理をするために用いる原稿が両面に印刷処理がなされた原稿シートであるかどうかを指定するためのキーである。スキャナ部２０１は、操作者がキー７０８を押下した場合は、原稿の両面を画像データとして読み取り、１枚の原稿から２ページ分の画像データを取得する。そして、ＣＰＵ２０５は、キー７０９が押下された後に液晶表示部４−２５０に図７（ｄ）に示す画面を表示させる。
【００６７】
図７（ｄ）は、製本物Ｓ３の本文となるシート束Ｓ１を、再給紙搬送路３３２を用いてシートＳの両面に印刷処理することで作成するか否かを設定する画面である。ＣＰＵ２０５は、キー７１０が押下された場合は、シートＳの片面にのみ印刷処理をするようプリント部２０３を制御する。一方で、ＣＰＵ２０５は、キー７１１が押下された場合は、シートＳの両面に印刷処理をするようプリント部２０３を制御する。そして、ＣＰＵ２０５は、キー７１２が押下された場合に、くるみ製本処理に関する設定が終了したものと判断して、図６（ａ）の画面を液晶表示部４−２５０に表示させる。
【００６８】
＜製本設定手順−第２の入力方法＞
次に、第２の入力方法を説明する。
【００６９】
第２の入力方法は、シートＳの印刷処理に用いる複数ページの画像データとして、コンピュータ端末２３３から入力される画像データを用いる方法である。
【００７０】
図９は、コンピュータ端末２３３の構成を示す図である。
図９において、コンピュータ端末２３３は、ＲＯＭ９０３のプログラム用ＲＯＭあるいは外部メモリ９１１に記憶された文書処理プログラム等に基づいて図形、イメージ、文字、表（表計算等を含む）等が混在した文書処理を実行するＣＰＵ９０１を備える。ＣＰＵ９０１は、システムバス９０４に接続される各バスデバイスを総括的に制御する。また、ＲＯＭ９０３のプログラム用ＲＯＭあるいは外部メモリ９１１には、ＣＰＵ９０１の制御プログラムであるオペレーティングシステムプログラム（以下ＯＳ）や後述するプリンタドライバ等が記憶されている。ＲＯＭ９０３のフォント用ＲＯＭあるいは外部メモリ９１１には文書処理の際に使用するフォントデータ等が記憶されている。また、ＲＯＭ９０３のデータ用ＲＯＭあるいは外部メモリ９１１には文書処理等を行う際に使用する各種データが記憶される。ＲＡＭ９０２は、ＣＰＵ９０１の主メモリ、ワークエリア等として機能する。
【００７１】
キーボードコントローラ（ＫＢＣ）９０５は、キーボード９０９や不図示のポインティングデバイスからのキー入力を制御する。ＣＲＴコントローラ（ＣＲＴＣ）９０６は、ＣＲＴディスプレイ（ＣＲＴ）９１０の表示を制御する。ディスクコントローラ（ＤＫＣ）９０７は、ハードディスク（ＨＤ）、フロッピー（登録商標）ディスク（ＦＤ）等の外部メモリ９１１とのアクセスを制御する。外部メモリ９１１は、ブートプログラム、各種のアプリケーション、プリンタ制御コマンド生成プログラム（以下プリンタドライバ）等を記憶する。プリンタコントローラ（ＰＲＴＣ）９０８は、ネットワーク２３２を介して印刷装置１０５に接続されて、印刷装置１０５との通信制御処理を実行する。
【００７２】
図１０は、コンピュータ端末２３３のソフトウェア構成図である。アプリケーション１００１、グラフィックエンジン１００２、プリンタドライバ１００３、およびシステムスプーラ１００４は、外部メモリ９１１に保存されたソフトウェアプログラムとして存在する。
【００７３】
外部メモリ９１１に保存されているアプリケーション１００１は、ＲＡＭ９０２にロードされて実行される。そして、アプリケーション１００１から印刷装置１０５に対して印刷ジョブを送信する際には、ＲＡＭ９０２にロードされ実行可能となっているグラフィックエンジン１００２を利用して出力（描画）を行う。
【００７４】
グラフィックエンジン１００２が出力したデータは、プリンタドライバ１００３に渡される。プリンタドライバ１００３は、外部メモリ９１１からＲＡＭ２にロードされ、ＣＰＵ９０１により実行されるものである。そして、プリンタドライバ１００３は、グラフィックエンジン１００２から渡されたデータを印刷装置１０５が解釈可能な制御コマンド（例えば、ＰＤＬコマンド）に変換する。制御コマンドは、ＯＳによってＲＡＭ９０２にロードされたシステムスプーラ１００４を経てネットワーク２３２経由で印刷装置１０５へ出力される仕組みとなっている。そして、このような制御コマンドを、印刷ジョブと呼ぶものとする。
【００７５】
なお、プリンタドライバ１００３による印刷ジョブの生成を行うためには、印刷装置１０５における印刷処理条件（印刷処理に用いるシートの種類、両面・片面印刷の指定等）を設定する必要がある。この設定は、通常プリンタドライバ２０３が提供するウィンドウ（ＣＲＴ９１０上に表示するもの）から行う。そして、プリンタドライバ２０３は、ウィンドウを介してコンピュータ端末２３３の操作者が設定した内容を印刷ジョブに印刷処理条件として付加する。
【００７６】
図１１は、コンピュータ端末２３３にインストールされているプリンタドライバ１００３が印刷処理条件を設定するためのウィンドウを示す図である。
【００７７】
コンピュータ端末２３３は、アプリケーション１００１にて文書を作成している際に、プリンタドライバ１００３を起動させることで図１１の設定画面をＣＲＴ９１０に表示させる。
【００７８】
図１１の設定画面において、コンピュータ端末２３３の操作者（作業者）は、プリンタ名選択ボックス１１０１を不図示のポインティングデバイス等を用いて操作する。この操作により、コンピュータ端末２３３が印刷ジョブを送信する送信先として、印刷装置１０５又は他の印刷装置が選択される。図１１においてコンピュータ端末２３３は、印刷装置１０５を選択している。また、コンピュータ端末２３３を操作する操作者は、印刷範囲選択ボックス１１０２を、ポインティングデバイス等を用いて操作する。これにより、アプリケーション１００１が生成する文書のうち所望のページが印刷装置１０５にて印刷すべき範囲として決定する。プリンタドライバ１００３は、操作者が「すべて」を選択した場合には、アプリケーション１００１が生成した文書の全てのページを印刷対象とする。また、プリンタドライバ１００３は、操作者が「現在のページ」を選択した場合には、アプリケーション１００１が生成した複数ページの文書のうち現在ＣＲＴ９１０上に表示されているページを印刷対象とする。また、プリンタドライバ１００３は、操作者が「ページ指定」を選択した場合には、アプリケーション１００１が生成した複数ページの文書のうちエディットボックス１１０３に入力されているページを印刷対象とする。また、プリンタドライバ１００３は、操作者が印刷部数設定ボックス１１０４に入力した部数を印刷対象の部数にする。
【００７９】
そして、コンピュータ端末２３３の操作者は、印刷装置１０５へ送信する印刷ジョブの印刷処理条件の設定が終了したならばＯＫボタン１１０６を押下する。それにより、プリンタドライバ１００３は、印刷ジョブの生成を開始する。なお、コンピュータ端末２３３の操作者は、印刷ジョブの生成を中止する場合には、キャンセルボタン１１０７を押下する。
【００８０】
図１２は、図１１のプリンタドライバのプロパティ設定画面においてプロパティボタン１１０５を押下したときに表示される画面を示す図である。
【００８１】
コンピュータ端末２３３を操作する操作者は、原稿サイズ選択ボックス１２０１を不図示のポインティングデバイス等を用いて操作する。この操作により、プリンタドライバ１００３は、アプリケーション１００１が編集する文書における各ページの原稿サイズを選択する。なお、通常はアプリケーション１００１が編集する文書には原稿サイズが指定されているので、この原稿サイズが自動的に選択される（図１２ではＡ４）。また、プリンタドライバ１００３は、操作者が出力用紙サイズ選択ボックス１２０２について「原稿サイズと同じ」を選択した場合には、印刷装置１０５にて印刷処理（出力処理）に用いるシートのサイズとしてＡ４サイズを選択する。なお、操作者は出力用紙サイズとして、「原稿サイズと同じ」を選択する以外にも「Ａ３サイズ」、「Ｂ５サイズ」等の所望のシートサイズを選択することができる。ただし、この場合は、原稿サイズと異なるサイズが選択されるので、プリンタドライバ１００３は、倍率を変更しつつ印刷ジョブを生成する。また、プリンタドライバ１００３は、操作者が部数選択ボックス１２０３について所望の印刷部数を入力したことに応じて入力された部数を印刷ジョブに設定する。また、プリンタドライバ１００３は、操作者が印刷方向指定ボックス１２０４にて選択した印刷方向を入力する。
【００８２】
そして、操作者がＯＫボタン１２０５を選択したことにより原稿サイズ選択ボックス１２０１、出力用紙サイズ選択ボックス１２０２、部数選択ボックス１２０３、印刷方向指定ボックス１２０４に入力されている値を確定する。一方、操作者がキャンセルボタン１２０６を選択したことによりボックス１２０１〜１２０４に入力されている値を確定せずに予め定められている初期設定に戻す。
【００８３】
図１３は、図１２のプリンタドライバ１００３のプロパティ設定画面において仕上げタブ１２０８が選択されたときに表示される画面を示す図である。
【００８４】
コンピュータ端末２３３を操作する操作者は、印刷方法選択ボックス１３０１を不図示のポインティングデバイス等を用いて操作する。この操作により、プリンタドライバ１００３は、印刷ジョブを印刷装置１０５にて印刷処理させるときのの印刷方法（印刷処理条件の１つ）を選択する。なお、印刷方法としては、シートの片面のみに印刷処理をする「片面印刷」、シートの両面に印刷処理をする「両面印刷」等がある。
【００８５】
また、コンピュータ端末２３３を操作する操作者は、シート処理選択ボックス１３０４を不図示のポインティングデバイス等を用いて操作する。この操作により、プリンタドライバ１００３は、印刷装置１０５にて印刷処理されたシートに実行するシート処理の種類を選択する。シート処理の種類としては、ステイプル処理、断裁処理、中綴じ製本処理、くるみ製本処理がある。ステイプル処理は、中綴じ製本装置１０２が実行する処理であり、印刷装置１０５が印刷処理した複数枚のシートＳの端部にステイプル処理を施す処理である。また、中綴じ製本処理は、中綴じ製本装置１０２が実行する処理であり、印刷装置１０５が印刷処理した複数枚のシートの中央部にステイプル処理を施すとともに、シートの中央部で折りたたむ処理である。また、断裁処理は、断裁装置１０１が実行する処理であり、印刷装置１０５が印刷処理した複数枚のシートの端部を断裁する処理である。また、くるみ製本処理は、くるみ製本装置１０３が実行する処理であり、印刷装置１０５が印刷処理した複数枚のシートＳを、カバーシートで包み込んで糊付けすることで製本物を得る処理である。
【００８６】
また、コンピュータ端末２３３を操作する操作者は、ボックス１３０５を不図示のポインティングデバイス等を用いて操作する。この操作により、プリンタドライバ１００３は、シート処理としてくるみ製本処理が指定された印刷ジョブに中断が発生した場合に、その後どのように再開処理を実行するかを選択する。印刷処理の再開の方法としては、集積トレイ４２に集積済みのシートを利用して印刷処理を再開する方法と、集積済みのシートを利用せずに印刷処理を再開する方法とがある。集積トレイ４２に集積済みのシートを利用して印刷処理を再開する方法を選択する場合は、印刷処理済みのシート束を利用することによる経済性が優先されることとなる。その一方で、集積済みのシートを利用せずに印刷処理を再開する方法を選択する場合は、印刷処理済みのシート束を利用しないことによる製本物の不具合の除去が優先されることとなる。
【００８７】
そして、操作者がＯＫボタン１３０２を選択したことにより印刷方法選択ボックス１３０１及びシート処理選択ボックス１３０４に入力されている値を確定する。一方、操作者がキャンセルボタン１３０３を選択したことにより印刷方法選択ボックス１３０１及びシート処理選択ボックス１３０４に入力されている値を確定せずに予め定められている初期設定に戻す。
【００８８】
＜製本処理の実行手順−片面印刷＞
次に、図１４を用いて、第１の実施形態における製本処理のフローを説明する。図１４のフローチャートにおける各ステップは、印刷装置１０５のＣＰＵ２０５が、ＨＤＤ２０９に記憶されたプログラムをＲＡＭ２０８に読み出して実行する。ここでは、図６（ｃ）の画面にてくるみ製本キー６０３場合に実行されるくるみ製本処理について説明する。また、図１４は、図７（ｄ）にてシートＳの片面にのみ印刷処理をすると設定された場合の動作を示すものである。
【００８９】
ステップＳ１４０１で、ＣＰＵ２０５は、複数ページの画像データの入力処理を実行する。ここで、入力処理は前述した２つの入力方法のいずれかを用いて実行することができる。スキャナ部２０１から画像データを入力する第１の方法を用いる場合は、スタートキー４−２４１が押下されたことにより原稿給送ユニット２５０に載置された原稿上の画像を読み取ることで複数ページの画像データを入力してプリンタ部２０３へ出力する。一方、コンピュータ端末２３３から受信する印刷ジョブ（画像データ）を用いる第２の方法の場合は、外部Ｉ／Ｆ２０２が印刷ジョブを受信したことにより印刷ジョブに制御コードとして含まれる画像データを読み出す。そして、メモリコントローラ部２０６が読み出された印刷ジョブをプリンタ部２０３へ出力することで複数ページの画像データを入力する。
【００９０】
ステップＳ１４０２で、ＣＰＵ２０５は、図７（ｃ）にて操作者が設定した製本モードが、右開き製本モードであるか、左開き製本モードであるかを判定する。左開き製本モードであればステップＳ１４０３へ進み、右開き製本モードであればステップＳ１４１４へ進む。
【００９１】
なお、以下のステップＳ１４０３〜Ｓ１４０７は、Ｍページの画像データからなる印刷ジョブを１ページ目、２ページ目、・・・Ｍ−１ページ目、Ｍページ目と印刷処理するフローである。それに対してステップＳ１４１４〜Ｓ１４１７は、Ｍページ目、Ｍ−１ページ目・・・２ページ目、１ページ目と、印刷順序をステップＳ１４０３〜Ｓ１４０７の逆順にして印刷処理するフローである。
【００９２】
ステップＳ１４０３で、ＣＰＵ２０５は、複数ページの画像データの印刷順序を制御するためのページ識別情報Ｎとして、初期値の“１”を設定する。なお、このページ識別情報ＮはＲＡＭ２０８へ記憶されＣＰＵ２０５が読み出し及び書き込みが可能な情報である。
【００９３】
ＣＰＵ２０５は、ステップＳ１４０４でＮページ目の印刷処理をプリンタ部２０３に実行させ、ステップＳ１４０５でシートＳの反転処理をさせた後にシートＳをスタッカ装置１０４へ搬送させる。なお、シートＳを反転処理させているのは、シートＳの上面に印刷処理された状態（フェイスアップ）のシートＳを集積トレイ４２に下面に印刷処理された状態（フェイスダウン）で集積させるためである。ここで、ＣＰＵ２０５はスタッカ装置１０４内の搬送部（不図示）を制御してシートＳをくるみ製本装置１０３へ搬送させる。また、ＣＰＵ２０５はくるみ製本装置１０３を制御してスタッカ装置１０４から搬送されたシートＳを集積トレイ４２へ搬送させる。
【００９４】
ＣＰＵ２０５は、ステップ１４０６でページ識別情報Ｎに１を加算してステップ１４０７へ進む。ステップＳ１４０７でＣＰＵ２０５は、ページ識別情報ＮがＭ＋１となったかを判定し、Ｎ＝Ｍ＋１であればステップＳ１４０８へ進み、そうでなければステップＳ１４０４へ戻る。ここで、Ｍは印刷ジョブのページ数であり、例えば１０ページの画像データからなる印刷ジョブであれば１０が設定される。なお、前述の第２の方法にあっては、印刷ジョブが予めハードディスク２０９に記憶されておりページ数が決まっているので、そのページ数をＭに設定することとなる。一方、第１の方法にあっては、原稿ユニット２０５が読み取る原稿の枚数は、予め分からない。そこで、ＣＰＵ２０５は、ステップＳ１４０７においては、引き続き読み込むべき原稿があるかないかを原稿ユニット２０５に設置される原稿検知センサ（不図示）等で検知することでステップＳ１４０７における判定をするものとする。具体的には、ＣＰＵ２０５は、引き続き読み込むべき原稿がないと判定すればステップＳ１４０８へ進み、そうでなければステップＳ１４０４へ戻る。
【００９５】
ＣＰＵ２０５は、以上のステップＳ１４０４からＳ１４０７を繰り返すことで、集積トレイ４２へ複数枚のシートＳを集積させてシート束Ｓ１を生成する。
【００９６】
次に、ステップＳ１４０２にてＣＰＵ２０５が右開き製本モードと判定した場合に実行されるステップについて説明する。
【００９７】
ステップＳ１４１４で、ＣＰＵ２０５は、複数ページの画像データの印刷順序を制御するためのページ識別情報Ｎとして、初期値の“１”を設定する。
【００９８】
ＣＰＵ２０５は、ステップＳ１４１５で（Ｍ−Ｎ＋１）ページ目の印刷処理をプリンタ部２０３に実行させる。ここで、（Ｍ−Ｎ＋１）ページ目としているのは、Ｍページの印刷ジョブを印刷する場合に、最終ページであるＭページ目から印刷処理させるためである。そして、右開き製本モードでは、左開き製本モードと異なりシートＳの反転処理をさせない。これは、印刷処理されたシートＳを集積トレイ４２に上面にフェイスアップ（印刷処理された面が上向きの状態）で集積させるためである。ここで、ＣＰＵ２０５はスタッカ装置１０４内の搬送部（不図示）を制御してシートＳをくるみ製本装置１０３へ搬送させる。また、ＣＰＵ２０５はくるみ製本装置１０３を制御してスタッカ装置１０４から搬送されたシートＳを集積トレイ４２へ搬送させる。
【００９９】
ＣＰＵ２０５は、ステップ１４１６でページ識別情報Ｎをインクリメントしてステップ１４１７へ進む。ステップＳ１４１７でＣＰＵ２０５は、ページ識別情報ＮがＭ＋１となったかを判定し、Ｎ＝Ｍ＋１であればステップＳ１４０８へ進み、そうでなければステップＳ１４１５へ戻る。なお、前述のように、第１の方法にあっては、原稿ユニット２０５が読み取る原稿の枚数は、全ての原稿を読み取らないと分からない。そこで、ＣＰＵ２０５は、ステップＳ１４１７においては、引き続き読み込むべき原稿があるかないかを原稿検知センサ（不図示）等で検知することでステップＳ１４１７における判定をするものとする。具体的には、ＣＰＵ２０５は、引き続き読み込むべき原稿がないと判定すればステップＳ１４０８へ進み、そうでなければステップＳ１４１５へ戻る。
【０１００】
ＣＰＵ２０５は、以上のステップＳ１４１５からＳ１４１７を繰り返すことで、集積トレイ４２へ複数枚のシートＳを集積させてシート束Ｓ１を生成する。
【０１０１】
以上のステップＳ１４０４〜Ｓ１４１７及びＳ１４１４〜Ｓ１４１７により集積トレイ４２に生成されたシート束Ｓ１を用いた製本処理について以下に説明する。なお、くるみ製本処理１０３を用いた具体的な動作については図８を用いて説明した通りである。
【０１０２】
ＣＰＵ２０５は、ステップＳ１４０８でシート束Ｓ１の整合処理をし、ステップＳ１４０９でシート束Ｓの一端に糊付け処理をすることでシート束Ｓ１とカバーシートＳ２を整合する。その一方で、ＣＰＵ２０５はカバーシート積載トレイに積載されているカバーシートＳ２を給紙しておく。図１４では、糊付け処理（Ｓ１４０９）をした後にカバーシートＳ２を給紙（Ｓ１４１０）することとしているが、糊付け処理をする以前にカバーシートＳ２を給紙させておいても良い。
【０１０３】
ＣＰＵ２０５は、ステップＳ１４１１で、シート束Ｓ１の一端とカバーシートＳ２の背部分（背表紙領域１００２の裏面部分）を糊付けすることで製本処理を実行する。そして、ＣＰＵ２０５は、ステップＳ１４１２へカバーシートＳ２が接着されたシート束Ｓ１に対して断裁処理をし、ステップＳ１４１３でシート束Ｓ１を収納部３４へ収納させる。
【０１０４】
＜製本処理の実行手順−両面印刷＞
次に、図１５を用いて、第１の実施形態における製本処理のフローを説明する。ここでは、図６（ｃ）の画面にてくるみ製本キー６０３場合に実行されるくるみ製本処理について説明する。また、図１５は、図７（ｄ）にてシートＳの両面に印刷処理をすると設定された場合の動作を示すものである。
【０１０５】
なお、図１５のステップＳ１５０１及び１５０２は、図１４のステップＳ１４０１及びＳ１４０２と同様であるので説明を省略する。また、図１５のステップＳ１５０９〜Ｓ１５１４は、図１４のステップＳ１４０８〜Ｓ１４１３と同様であるので説明を省略する。
【０１０６】
また、以下のステップＳ１５０３〜Ｓ１５０９は、Ｍページの画像データからなる印刷ジョブを１ページ目、・・・Ｍページ目と印刷処理するフローである。それに対してステップＳ１５１５〜Ｓ１５２１は、Ｍページ目、・・・１ページ目と、印刷順序をステップＳ１５０３〜Ｓ１５０９の逆順にして印刷処理するフローである。なお、図１５ではシートＳの両面に印刷処理するので、１ページ目、２ページ目、３ページ目・・・と、ページを１ずつ順番に印刷処理する方法とは異なる。
【０１０７】
ステップＳ１５０３で、ＣＰＵ２０５は、ページ識別情報Ｎとして、初期値の“１”を設定する。
ステップＳ１５０４で、ＣＰＵ２０５は、ページ識別情報ＮがＭ以下であるかを判定し、Ｍ以下であればステップＳ１５０５へ進み、そうでなければステップＳ１５０６へ進む。
ステップＳ１５０５で、ＣＰＵ２０５は、図７（ｂ）にてキー７０５を押下することにより選択されたカセットからシートＳを給紙させ、そのシートＳにＮページ目の印刷処理を実行する。
【０１０８】
ステップＳ１５０６で、ＣＰＵ２０５は、Ｎ−３が０より大きいか否かを判定し、大きければステップＳ１５０７へ進み、そうでなければステップＳ１５０８へ進む。ステップＳ１５０７で、ＣＰＵ２０５は、再給紙搬送路３３２から搬送されるシートＳに（Ｎ−３）ページ目の印刷処理を実行する。ここで、“３”は印刷装置１０５が装置内に保持することができるシートの枚数を示す。印刷装置１０５は、両面印刷を行うにあたって、カセットからシートを３枚連続して給紙して印刷処理を実行する。その後は、再給紙搬送路３３２から搬送されるシートＳに対する印刷処理と、カセットから給紙したシートＳに対する奇数ページの印刷処理を交互に繰り返す。この繰り返しの印刷処理により、シートＳの両面に印刷処理を行う。
【０１０９】
ステップＳ１５０８で、ＣＰＵ２０５はＮに２を加算してステップＳ１５０９へ進む。ステップＳ１５０９で、ＣＰＵ２０５は、ページ識別情報ＮがＭ＋５となったかを判定し、Ｎ＝Ｍ＋５であればステップＳ１５０９へ進み、そうでなければステップＳ１５０４へ戻る。
【０１１０】
ここで、Ｓ１５０３〜Ｓ１５０９においてＣＰＵ２０５がプリンタ部２０３に実行させる印刷処理における印刷順序について、印刷ジョブが１０ページの画像データからなるものとして説明する。なお、図７（ｂ）にてカセットとしてカセット３１１が選択されているものとして説明する。
【０１１１】
まず初めに、ＣＰＵ２０５は、カセット３１１から３枚のシートＳを給紙させ、各々に１、３、５ページ目の画像データの印刷処理を実行させる。また、ＣＰＵ２０５は、１、３、５ページ目が印刷処理されたシートＳを、再給紙搬送路３３２へ搬送させる。なお、再給紙搬送路３３２から搬送されるシートＳは、印刷処理された面を下向きにして転写部３２５へ搬送される。
【０１１２】
次に、ＣＰＵ２０５は、１ページ目が印刷処理されたシートＳを転写部３２５へ搬送させ、２ページ目の画像データの印刷処理を実行させる。その後にＣＰＵ２０５は、１ページ目と２ページ目の画像データの双方が印刷処理されたシートＳをスタッカ装置１０４へ搬送させる。引き続き、ＣＰＵ２０５は、カセット３１１から給紙したシートＳへの７ページ目の画像データの印刷処理を実行させる。その後、ＣＰＵ２０５は、３ページ目が印刷処理されたシートＳを転写部３２５へ搬送させ、４ページ目の画像データの印刷処理を実行させる。次に、ＣＰＵ２０５は、カセット３１１から給紙したシートＳへの９ページ目の画像データの印刷処理を実行させる。引き続き、５、７及び９ページ目が印刷処理されたシートＳを再給紙搬送路３３２から連続して転写部３２５へ搬送させる。そして、ＣＰＵ２０５は、それらのシートＳに６、８及び１０ページ目の画像データの印刷処理を実行させる。
【０１１３】
以上のように、複数ページの画像データの印刷順序は、１−３−５−２−７−４−９−６−８−１０という順序になる。
【０１１４】
次に、ステップＳ１５０２にてＣＰＵ２０５が右開き製本モードと判定した場合に実行されるステップについて説明する。
【０１１５】
ステップＳ１５１５で、ＣＰＵ２０５は、ページ識別情報Ｎとして、初期値の“１”を設定する。
【０１１６】
ステップＳ１５１６で、ＣＰＵ２０５は、ページ識別情報ＮがＭ以下であるかを判定し、Ｍ以下であればステップＳ１５１７へ進み、そうでなければステップＳ１５１８へ進む。
【０１１７】
ステップＳ１５１７で、ＣＰＵ２０５は、図７（ｂ）にてキー７０５を押下することにより選択されたカセットからシートＳを給紙させ、そのシートＳに（Ｍ−Ｎ＋１）ページ目の印刷処理を実行する。
【０１１８】
ステップＳ１５１８で、ＣＰＵ２０５は、Ｎ−３が０より大きいか否かを判定し、大きければステップＳ１５１９へ進み、そうでなければステップＳ１５２０へ進む。ステップＳ１５１９で、ＣＰＵ２０５は、再給紙搬送路３３２から搬送されるシートＳに（Ｍ−Ｎ＋４）ページ目の印刷処理を実行する。その後は、再給紙搬送路３３２から搬送されるシートＳに対する印刷処理と、カセットから給紙したシートＳに対する印刷処理を交互に繰り返す。この繰り返しの印刷処理により、シートＳの両面に印刷処理を行う。
【０１１９】
ステップＳ１５２０で、ＣＰＵ２０５はＮに２を加算してステップＳ１５２１へ進む。ステップＳ１５２１で、ＣＰＵ２０５は、ページ識別情報ＮがＭ＋５となったかを判定し、Ｎ＝Ｍ＋５であればステップＳ１５０９へ進み、そうでなければステップＳ１５１６へ戻る。
【０１２０】
ここで、Ｓ１５１５〜Ｓ１５２１においてＣＰＵ２０５がプリンタ部２０３に実行させる印刷処理における印刷順序について、印刷ジョブが１０ページの画像データからなるものとして説明する。なお、図７（ｂ）にてカセットとしてカセット３１１が選択されているものとして説明する。
【０１２１】
まず初めに、ＣＰＵ２０５は、カセット３１１から３枚のシートＳを給紙させ、各々に１０、８、６ページ目の画像データの印刷処理を実行させる。また、ＣＰＵ２０５は、１０、８、６ページ目が印刷処理されたシートＳを、再給紙搬送路３３２へ搬送させる。
【０１２２】
次に、ＣＰＵ２０５は、１０ページ目が印刷処理されたシートＳを転写部３２５へ搬送させ、９ページ目の画像データの印刷処理を実行させる。その後にＣＰＵ２０５は、１０ページ目と９ページ目の画像データの双方が印刷処理されたシートＳをスタッカ装置１０４へ搬送させる。引き続き、ＣＰＵ２０５は、カセット３１１から給紙したシートＳへの４ページ目の画像データの印刷処理を実行させる。その後、ＣＰＵ２０５は、８ページ目が印刷処理されたシートＳを転写部３２５へ搬送させ、７ページ目の画像データの印刷処理を実行させる。次に、ＣＰＵ２０５は、カセット３１１から給紙したシートＳへの２ページ目の画像データの印刷処理を実行させる。引き続き、６、４及び２ページ目が印刷処理されたシートＳを再給紙搬送路３３２から連続して転写部３２５へ搬送させる。そして、ＣＰＵ２０５は、それらのシートＳに５、３及び１ページ目の画像データの印刷処理を実行させる。
【０１２３】
以上のように、複数ページの画像データの印刷順序は、１０−８−６−９−４−７−２−５−３−１という順序になる。この右開き製本モードにおける印刷順序は、左開き製本における印刷順序の逆順となっている。
【０１２４】
＜印刷処理が中断した際の印刷再開処理＞
次に、印刷処理が中断した際の印刷再開処理について説明する。
図１６は、印刷処理が中断した際の印刷再開処理を示すフローチャートである。
図１６のフローチャートにおける各ステップは、印刷装置１０５のＣＰＵ２０５が、ＨＤＤ２０９に記憶されたプログラムをＲＡＭ２０８に読み出して実行する。また、図１６のフローチャートにおける各ステップは、ＣＰＵ２０５により、図１４及び図１５における各ステップと並行して実行される。図１４及び図１５は、印刷ジョブの実行中に、印刷装置１０５における印刷処理やくるみ製本装置１０３におけるくるみ製本処理に何らの中断要因も発生しない場合を示すものであった。しかし、実際には、印刷処理やくるみ製本処理（以下では、まとめて印刷処理と呼ぶものとする）の実行中にシートの搬送エラー（ジャム）等で中断要因が発生する。図１６は、ＣＰＵ２０５が、印刷処理中に、印刷中断要因が発生したか否かを判定し、中断した印刷処理を再開させるまでの製本システム２０００の動作を示すものである。
【０１２５】
ステップＳ１６０１で、ＣＰＵ２０５は、印刷ジョブに基づいて実行中の印刷処理に中断要因が発生したか否かを判定する。ここで、中断要因とは、印刷装置１０５内の搬送路におけるシートＳの搬送エラーや、スタッカ装置１０４内の搬送路におけるシートＳの搬送エラー等の、製本システム２０００の各部分の動作不良を示す。中断要因が発生したか否かを判定するために、ＣＰＵ２０５は、印刷装置１０５内の搬送路（３３１〜３３５）（又はスタッカ装置内の搬送路）に設けられたセンサ（不図示）によりシートの搬送不良が発生したか否かを判定する。例えば、ＣＰＵ２０５は、搬送路３１上のセンサが、一定時間に渡ってシートを検知しつづけている場合は、シートが搬送路３３１に滞留しているものとして搬送不良であると判定する。また、中断要因が発生したか否かを判定するために、ＣＰＵ２０５は、製本システムの各部分の動作不良を判定する。例えば、ＣＰＵ２０５は、オプションＩ／Ｆ２３０を介してくるみ製本装置１０３のＣＰＵから装置の異常をステータスとして受信すると、くるみ製本装置１０３に動作不良が発生したと判定する。
【０１２６】
ステップＳ１６０２で、ＣＰＵ２０５は、製本システム２０００による印刷処理を停止させる。例えば、印刷ジョブがシート処理としてくるみ製本処理を指定するくるみ製本ジョブである場合、ＣＰＵ２０５は、くるみ製本装置１０３を含めた製本システム２０００の全体を停止状態とする。
【０１２７】
ステップＳ１６０３で、ＣＰＵ２０５は、製本システム２０００の操作者に、操作部２０４が有する表示画面（ＬＣＤ等）を介して、印刷ジョブによる印刷処理が中断した旨を通知する。この通知にあたって、操作部２０４の表示画面は、印刷中断の要因を明示するのが望ましい。例えば、印刷装置１０５の搬送路３３１にて搬送不良（ジャム）が発生している場合は、その旨を、シートの除去方法とともに通知するのが望ましい。
【０１２８】
ステップＳ１６０４で、ＣＰＵ２０５は、印刷処理が中断された印刷ジョブが、くるみ製本ジョブであるか否かを判定する。ＣＰＵ２０５は、印刷ジョブがくるみ製本ジョブであるか否かを、印刷ジョブに含まれる印刷処理条件情報に基づいて判定する。例えば、コンピュータ端末２３３が、プリンタドライバ１００３によりくるみ製本処理を印刷処理条件として設定している場合には、印刷ジョブに印刷処理条件情報としてくるみ製本処理を示す情報が含まれている。ＣＰＵ２０５は、印刷処理条件情報としてくるみ製本処理を示す情報が含まれている場合は、ステップＳ１６０６へ進み、そうでなければステップＳ１６０５へ進む。
【０１２９】
ステップＳ１６０５で、ＣＰＵ２０５は、中断された印刷ジョブがくるみ製本ジョブである場合に、印刷処理の再開にあたって集積トレイ４２に積載済みのシートを用いるか否かを判定する。コンピュータ端末２３３は、印刷ジョブをプリンタドライバ１００３にて生成するにあたって、くるみ製本処理が中断した場合の処理方法を印刷処理条件情報として、印刷ジョブに付加している。ＣＰＵ２０５は、印刷ジョブに印刷処理条件情報として、集積済みのシートを利用する旨の情報が含まれている場合は、ステップＳ１６０６へ進む。また、ＣＰＵ２０５は、印刷ジョブに印刷処理条件情報として、集積済みのシート束Ｓ１を利用する旨の情報が含まれていない場合は、ステップＳ１６０８へ進む。
【０１３０】
ステップＳ１６０６及びステップＳ１６０８で、ＣＰＵ２０５は、印刷処理の中断要因が解除されたか否かを判定する。例えば、印刷装置１０５の搬送路３３１にてシートの搬送不良が発生して印刷処理が中断した場合には、搬送路３３１上に設けられたセンサの検知状態を判定する。ＣＰＵ２０５は、搬送路３３１にてシートＳを検知しなくなった場合は、搬送不良となっていたシートＳが除去されて中断要因が解除されたと判定する。また、例えば、くるみ製本装置１０３に異常が発生して印刷処理が中断した場合には、くるみ製本装置１０３のステータスを判定する。ＣＰＵ２０５は、くるみ製本装置１０３のＣＰＵから装置が正常状態に復帰したことを示すステータス信号を受信した場合は、中断要因が解除されたと判定する。ＣＰＵ２０５は、ステップＳ１６０６にて、印刷中断要因が解除されたと判定した場合には、ステップＳ１６０７へ進む。また、ＣＰＵ２０５は、ステップＳ１６０８にて、印刷中断要因が解除されたと判定した場合には、ステップＳ１６０９へ進む。
【０１３１】
次に、印刷処理を再開する際の動作について説明する。
ステップＳ１６０７は、中断した印刷ジョブがくるみ製本ジョブでない場合、あるいはくるみ製本ジョブであるが、集積トレイ４２に集積済みのシート束Ｓ１を用いて印刷処理を再開する場合に実行されるステップである。また、ステップＳ１６０９及びステップＳ１６１０は、中断した印刷ジョブがくるみ製本処理であり、かつ集積トレイ４２に集積済みのシート束Ｓ１を用いずに印刷処理を再開する場合に実行されるステップである。
【０１３２】
まず、集積トレイ４２に集積済みのシート束Ｓ１を用いて印刷処理を再開する場合に実行される動作について説明する。
【０１３３】
ステップＳ１６０７で、ＣＰＵ２０５は、印刷処理が中断したページから印刷処理を再開させる。ここで、印刷処理が中断したページとは、集積トレイ４２に集積されたシート束Ｓ１に引き続き積載させるべきページを示す。なお、印刷処理に中断が発生した場合、製本システム２０００の搬送路上には印刷装置１０５による印刷処理が完了したシートＳも存在する。そこで、ステップＳ１６０６においては、印刷処理に中断が発生した場合に製本システム２０００の搬送路上に存在する全てのシートが除去された場合に、ＣＰＵ２０５は、印刷中断要因が解除されたと判定するものとする。なお、印刷処理が中断したページを他の態様としても良い。例えば、印刷処理に中断が発生した場合に印刷装置１０５内に存在し、スタッカ装置１０４に次に排出されるページとしても良い。この場合、印刷装置１０５から排出済みのシートは、印刷再開後に集積トレイ４２まで搬送させるものとする。そして、ＣＰＵ２０５は、印刷装置１０５の搬送路上に存在する全てのシートＳが除去された場合に、印刷中断要因が解除されたと判定するものとする。
【０１３４】
次に、集積トレイ４２に集積済みのシート束Ｓ１を用いずに印刷処理を再開する場合に実行される動作について説明する。
【０１３５】
ステップＳ１６０９で、ＣＰＵ２０５は、集積トレイ４２に積載済みのシート束Ｓ１が製本システム２０００の操作者により除去されたか否かを判定する。ＣＰＵ２０５は、集積トレイ４２に備えたセンサ（不図示）が、シートＳが存在することを示す情報を出力している場合はシート束Ｓ１が除去されたと判定してステップＳ１６１０へ進む。なお、印刷処理に中断が発生した場合、製本システム２０００の搬送路上には印刷装置１０５による印刷処理が完了したシートＳも存在する。そこで、ＣＰＵ２０５は、ステップＳ１６０８において、印刷処理に中断が発生した場合に製本システム２０００の搬送路上に存在する全てのシートＳが除去された場合に、印刷中断要因が解除されたと判定するものとする。
【０１３６】
ステップＳ１６０９で、ＣＰＵ２０５は、中断していた印刷ジョブの先頭ページから印刷処理を再開させる。
【０１３７】
以上説明したように、本実施形態によれば、印刷ジョブを中断すべき中断要因が発生した場合に、集積トレイ４２に積載されているシート束Ｓ１を利用することによる経済性の向上を優先させるか、そのシート束Ｓ１を利用しないことによる製本物の不具合の除去を優先させるかを選択することができる。
【０１３８】
また、印刷ジョブを中断すべき中断要因が発生した場合に、印刷処理の中断時に集積トレイ４２に積載されているシート束Ｓ１を利用するか否かをプリンタドライバ１００３を介して指定することができる。これにより、操作者が経済性を重視する場合は、印刷処理の中断時に集積トレイ４２に積載されているシート束Ｓ１を利用できる。その一方で、操作者が製本物の不具合を嫌う場合は、印刷処理の中断時に集積トレイ４２に積載されているシート束Ｓ１を利用せずに、印刷処理を改めてやり直すことができる。
【０１３９】
なお、上記の説明において、くるみ製本処理が中断した場合における印刷処理の再開方法を、コンピュータ端末２３３のプリンタドライバ１００３を介して設定するものとしたが、他の態様であっても良い。例えば、印刷装置１０５の操作部２０４を介して設定する（受け付ける）ものとしても良い。この場合、外部Ｉ／Ｆ２０２がどのような印刷ジョブをどのコンピュータ端末から受信するかにかかわらず、常に操作部２０４を介して設定された方法にて再開処理を実行する。
【０１４０】
（第２の実施形態）
次に、本発明にかかる第２の実施形態について説明する。
第２の実施形態は第１の実施形態の変形例であり、図１６と同様の動作をするものとする。第２の実施形態は、図１６のステップＳ１６０５における動作の内容のみが、第１の実施形態と異なる。
【０１４１】
第１の実施形態は、図１６のステップＳ１６０５において、印刷ジョブに含まれる印刷処理条件情報又は操作部２０４を介して設定された情報に基づいて、集積済みのシート束Ｓ１を利用するか否かを選択するものであった。それに対して第２の実施形態は、印刷処理の中断要因に応じて集積済みのシート束Ｓ１を利用して製本物を作成するか否かを選択するものである。
【０１４２】
図１７は、印刷装置１０５のハードディスク２０９に記憶される、印刷処理の中断要因とその要因に対する処理方法を示すテーブルである。ＣＰＵ２０５は、印刷中断要因と図１７のテーブルを参照し、集積済みのシートを利用するか否かを選択する。
【０１４３】
例えば、ＣＰＵ２０５が印刷装置１０５の現像器３２４に保持されている現像剤が不足していると判定した場合、集積済みのシートを利用すること判定する。このように判定しているのは、現像剤が不足した場合、既に印刷処理されて集積トレイ４２に積載されているシートには不具合が無い可能性が高いからである。
【０１４４】
また、例えば、ＣＰＵ２０５が印刷装置１０５の搬送路あるいは製本システム２０００における印刷装置１０５以外の搬送路でシートの搬送不良を判定した場合、集積済みのシートを利用しないこと判定する。このように判定しているのは、シートの搬送不良が発生した場合、シートには破損や汚れという不具合がある可能性が高いからである。なお、印刷装置１０５にて搬送不良が発生したのか、印刷装置１０５以外の搬送路で搬送不良が発生したのかに応じて集積済みのシートを利用するか否かを切り替えてもよい。例えば、印刷装置１０５にて搬送不良が発生した場合は集積済みのシートを利用すると判定し、印刷装置１０５以外にて搬送不良が発生した場合は集積済みのシートを利用しないと判定する。このように判定しているのは、印刷装置１０５以外で搬送不良が発生した場合には、シートに対する処理不良が発生してシートに破損や汚れが発生している可能性が高いからである。
【０１４５】
また、例えば、ＣＰＵ２０５が印刷装置１０５のカセットであって印刷ジョブにて使用するカセットに積載されているシートが不足（例えば０枚）となった場合、集積済みのシートを利用すること判定する。このように判定しているのは、シートが不足した場合、既に印刷処理されて集積トレイ４２に積載されているシート束Ｓ１には不具合が無い可能性が高いからである。
【０１４６】
また、例えば、印刷ジョブが操作者の指示により印刷処理が中断された場合、集積済みのシート束Ｓ１を利用すること判定する。このように判定しているのは、操作者の指示により印刷処理が中断された場合、印刷装置１０５には特に不具合が無い可能性が高いからである。
【０１４７】
以上説明したように、第２の実施形態によれば、印刷ジョブを中断すべき中断要因が発生した場合に、その中断要因に応じて、集積済みのシート束Ｓ１を利用するか否かを選択する。それにより、印刷処理の中断時に集積トレイ４２に積載されているシート束Ｓ１を利用することによる経済性の向上と、そのシート束Ｓ１を利用しないことによる製本物の不具合の除去を中断要因に応じて適切に両立することができる。
【０１４８】
（第３の実施形態）
次に、本発明にかかる第３の実施形態について説明する。
第３の実施形態は第１の実施形態の変形例であり、図１６と同様の動作をするものとする。第３の実施形態は、図１６のステップＳ１６０５における動作の内容のみが、第１の実施形態と異なる。
【０１４９】
第１の実施形態は、図１６のステップＳ１６０５において、印刷ジョブに含まれる印刷処理条件情報又は操作部２０４を介して設定された情報に基づいて、集積済みのシート束Ｓ１を利用するか否かを選択するものであった。それに対して第３の実施形態は、印刷処理が中断された際に集積トレイに集積されているシート束Ｓ１の枚数に応じて、集積トレイ４２に積載済みのシート束Ｓ１を用いて製本物を作成するか否かを選択するものである。
【０１５０】
図１８は、印刷装置１０５のハードディスク２０９に記憶される、印刷処理の中断時に集積トレイ４２に積載されているシート束Ｓ１の枚数とその枚数に対する処理方法を示すテーブルである。ＣＰＵ２０５は、印刷処理の中断が発生した際のシート束Ｓ１の枚数と図１８のテーブルを参照し、集積済みのシート束Ｓ１を利用するか否かを選択する。
【０１５１】
具体的に、ＣＰＵ２０５は、印刷ジョブに基づく印刷処理が開始されてから、印刷処理の中断がされるまでに集積トレイ４２に積載されるシート束Ｓ１の枚数を計数しておく。ＣＰＵ２０５は、計数したシート束Ｓ１の枚数は、ハードディスク２０９等に記憶しておく。そして、ＣＰＵ２０５は、印刷処理に中断要因が発生した場合に、計数してあるシート束Ｓ１の枚数が１〜１００の範囲であれば、集積トレイ４２に集積済みのシート束Ｓ１を用いずに印刷処理を再開させる。このようにしているのは、集積トレイ４２に積載されているシート束Ｓ１の枚数が比較的少なければ、経済性がそれほど悪化しないからである。一方で、ＣＰＵ２０５は、印刷処理に中断要因が発生した場合に、計数してあるシート束Ｓ１の枚数が１０１〜２００の範囲であれば、集積トレイ４２に集積済みのシート束Ｓ１を用いて印刷処理を再開させる。このようにしているのは、集積トレイ４２に積載されているシート束Ｓ１の枚数が比較的多ければ、経済性が非常に悪化するからである。なお、くるみ製本装置１０３の集積トレイ４２は、普通紙であれば２００枚のシートＳを積載可能なものである。
【０１５２】
図１８は、印刷処理の中断時に集積トレイ４２に積載されているシート束Ｓ１の枚数が１００枚以下であるときに集積トレイ４２に積載済みのシート束Ｓ１を用いず、１００枚より大きいときに集積トレイ４２に積載済みのシート束Ｓ１を用いるものであった。それに対して、図１９は、更に集積トレイ４２に積載済みのシート束Ｓ１を用いるか否かを選択させるものである。
【０１５３】
図１９で、ＣＰＵ２０５は、印刷処理に中断要因が発生した場合に、計数してあるシートＳの枚数が１〜１００の範囲であれば、集積トレイ４２に集積済みのシート束Ｓ１を用いずに印刷処理を再開させる。このようにしているのは、集積トレイ４２に積載されているシート束Ｓ１の枚数が比較的少なければ、経済性がそれほど悪化しないからである。一方で、ＣＰＵ２０５は、印刷処理に中断要因が発生した場合に、計数してあるシート束Ｓ１の枚数が１８１〜２００の範囲であれば、集積トレイ４２に集積済みのシート束Ｓ１を用いて印刷処理を再開させる。このようにしているのは、集積トレイ４２に積載されているシート束Ｓ１の枚数が比較的多ければ、経済性が非常に悪化するからである。
【０１５４】
更に、ＣＰＵ２０５は、印刷処理に中断要因が発生した場合に、計数してあるシート束Ｓ１の枚数が１０１〜１８０の範囲であれば、製本システム２０００の操作者から、印刷処理の再開時に集積トレイ４２に集積済みのシート束Ｓ１を用いるか否かを指定させる。具体的に、ＣＰＵ２０５は、操作部２０４の表示画面に図２０に示す画面を表示させる。操作者は、図２０の画面にてボタン２００１を押下することにより、集積トレイ４２に積載されたシート束Ｓ１を利用して印刷処理の再開をすることを指定する情報を入力する。一方で、操作者は、図２０の画面にてボタン２００２を押下することにより、集積トレイ４２に積載されたシート束Ｓ１を利用せずに印刷処理の再開をすることを指定する情報を入力する。前者を選択した場合、ＣＰＵ２０５は、印刷処理の中断要因となったページから印刷処理を再開させ、後者を選択した場合、印刷ジョブの先頭ページから印刷処理を再開させる。
【０１５５】
なお、上記の説明においては、集積トレイ４２は２００枚のシート束を積載可能なものとして説明したが、他の態様であっても良い。印刷装置１０５は、シートＳのタイプとして複数のものが利用可能である。例えば、シートＳのタイプとしては、普通紙、厚紙、薄紙等がある。ここで、厚紙は普通紙の２倍の厚みがあり、薄紙は普通紙の半分の厚みがあるものとする。そうすると、集積トレイ４２は、普通紙を２００枚積載できるものとすると、厚紙は１００枚、薄紙は４００枚積載できることとなる。ＣＰＵ２０５は、印刷ジョブに含まれる印刷処理条件情報のうちシートＳのタイプを指定する情報を参照し、その情報に応じた処理をすると、シートＳのタイプに応じた処理が可能である。
【０１５６】
具体的には、シートＳのタイプが厚紙である場合、シート束Ｓ１の枚数が１〜５０の範囲であれば、集積トレイ４２に集積済みのシート束Ｓ１を用いずに印刷処理を再開させる。一方で、ＣＰＵ２０５は、印刷処理に中断要因が発生した場合に、計数してあるシート束Ｓ１の枚数が５１〜１００の範囲であれば、集積トレイ４２に集積済みのシート束Ｓ１を用いて印刷処理を再開させる。
【０１５７】
また具体的には、シートＳのタイプが薄紙である場合、シートＳの枚数が１〜２００の範囲であれば、集積トレイ４２に集積済みのシート束Ｓ１を用いずに印刷処理を再開させる。一方で、ＣＰＵ２０５は、印刷処理に中断要因が発生した場合に、計数してあるシートＳの枚数が２０１〜４００の範囲であれば、集積トレイ４２に集積済みのシート束Ｓ１を用いて印刷処理を再開させる。
【０１５８】
また、上記の説明においては、集積トレイ４２は２００枚のシートを積載可能なものとして説明した。そして、集積トレイに積載済みのシート束Ｓ１を利用して印刷処理を再開するか否かを、例えば１００枚を区切りにして切り替えるものであった。しかし、他の態様であっても良い。具体的には、区切りにする枚数を操作者が操作部２０４を介して任意に設定できるようにしてもよい。この場合、２０枚を区切りにすることや、８０枚を区切りにするとう任意の枚数を区切りにすることが可能である。また、シートＳ１のタイプに応じて、区切りの枚数を各々独立に設定できるようにしてもよい。
【０１５９】
以上説明したように、第３の実施形態によれば、印刷ジョブを中断すべき中断要因が発生した場合に、集積トレイ４２に集積済みのシート束Ｓ１の枚数に応じて、集積トレイ４２に集積済みのシート束Ｓ１を利用して印刷処理を再開するか否かを選択する。それにより、印刷処理の中断時に集積トレイ４２に積載されているシート束Ｓ１を利用することによる経済性を優先させるか、そのシート束を利用しないことによる製本物の不具合の除去を優先させるかを適切に選択することができる。つまり、集積トレイ４２に集積済みのシート束Ｓ１の枚数が少ない場合はシート束Ｓ１を利用しなくても経済性にあまり影響を及ぼさないことから、集積済みのシート束Ｓ１を利用せずに印刷処理を再開する。一方で、集積トレイ４２に集積済みのシート束Ｓ１の枚数が多い場合はシート束Ｓ１を利用しないと経済性に影響を及ぼすことから、集積済みのシート束Ｓ１を利用して印刷処理を再開する。
【０１６０】
（その他の実施形態）
前述した第１〜第３の実施形態において、製本システム２０００は、印刷装置１０５から搬送されたシートＳを操作者の作業を要することなく自動的にくるみ製本装置１０３へ搬送させるものであった。しかし、シートＳを印刷装置１０５が備える排紙トレイ（不図示）へ一端排紙させてシート束Ｓ１を形成し、形成されたシート束Ｓ１を操作者が運搬することで集積トレイ４２に集積させるようにしても良い。この場合、くるみ製本装置１０３は、操作者が集積トレイ４２にシート束Ｓ１を集積させた後に、カバーシート積載トレイ７０に積載されたカバーシートＳ２を用いてくるみ製本処理を行う。
【０１６１】
また、第１〜第３の実施形態において、製本システム２０００は、くるみ製本処理を実行するくるみ製本装置１０３を有するものであったが、他の製本処理を実行する装置を有するようにしてもよい。例えば、表紙と裏表紙がレイアウトされたカバーシートＳ２の背表紙部分１００２を糊付けする代わりに、シート束Ｓ１を糊付けすることなくカバーシートＳ２でくるみこんだ後にステイプル処理を実行する装置であっても良い。この場合、シート束Ｓ１とカバーシートＳ２は、ステイプル針により整合されることとなる。また、表紙がレイアウトされたカバーシートをカバーシート積載トレイ７０から給紙し、シート束Ｓ１とカバーシートＳ２をバインダテープ等でバインド処理する装置であっても良い。この場合、シート束Ｓ１とカバーシートＳ２はバインダテープにより整合されることとなる。
【０１６２】
また、本発明の目的は、前述した実施形態の機能を実現するソフトウェアのプログラムコードを記録した記憶媒体を、システムあるいは装置に供給することによっても達成される。この場合、そのシステムあるいは装置のコンピュータが記憶媒体に格納されたプログラムコードを読み出し実行すること前述した実施形態の機能を実現する。この場合、記憶媒体から読み出されたプログラムコード自体が前述した実施形態の機能を実現することになり、そのプログラムコードを記憶した記憶媒体は本発明を構成することになる。
【図面の簡単な説明】
【０１６３】
【図１】製本システム（製本装置）の全体構成を示す図である。
【図２】印刷装置１０５の制御構成を示すブロック図である。
【図３】印刷装置１０５の構成を示す断面図である。
【図４】印刷装置１０５が備える操作部２０４の構成を示す図である。
【図５】図４に示した液晶表示部に表示される操作画面の一例を示す図である。
【図６】図４に示した液晶表示部に表示される操作画面の一例を示す図である。
【図７】図４に示した液晶表示部に表示される操作画面の一例を示す図である。
【図８】くるみ製本装置の構成を示す図である。
【図９】図４に示した液晶表示部に表示される操作画面の一例を示す図である。
【図１０】コンピュータ端末２３３のソフトウェア構成図である。
【図１１】プリンタドライバ１００３が印刷処理条件を設定するためのウィンドウを示す図である。
【図１２】プリンタドライバのプロパティ設定画面においてプロパティボタン１１０５を押下したときに表示される画面を示す図である。
【図１３】プリンタドライバ１００３のプロパティ設定画面において仕上げタブ１２０８が選択されたときに表示される画面を示す図である。
【図１４】製本処理のフローチャートである。
【図１５】製本処理のフローチャートである。
【図１６】印刷処理が中断した際の印刷再開処理を示すフローチャートである。
【図１７】印刷処理の中断要因とその要因に対する処理方法を示すテーブルである。
【図１８】印刷処理の中断時に集積トレイに積載されているシートの枚数とその枚数に対する処理方法を示すテーブルである。
【図１９】印刷処理の中断時に集積トレイに積載されているシートの枚数とその枚数に対する処理方法を示すテーブルである。
【図２０】印刷処理の再開時に集積トレイ４２に集積済みのシートを用いるか否かを指定させる画面を示す図である。
【符号の説明】
【０１６４】
２０００  製本システム
１０１  断裁装置
１０２  中綴じ製本装置
１０３  くるみ製本装置
１０４  スタッカ装置
１０５  印刷装置
２０１  スキャナ部
２０３  プリンタ部
２５０  原稿給送ユニット
３１１〜３１５  カセット
３３２  再給紙搬送路
２１  搬送整合部
２２  接着剤塗布部
２３  裁断部
３４  収納部
４２  集積トレイ
７０  カバーシート積載トレイ
Ｓ  シート
Ｓ１  シート束
Ｓ２  カバーシート
Ｓ３  製本物
４−２４１  スタートキー
４−２４２  ストップキー
【図１】
2007196632.tif 000003
【図２】
2007196632.tif 000004
【図３】
2007196632.tif 000005
【図４】
2007196632.tif 000006
【図５】
2007196632.tif 000007
【図６】
2007196632.tif 000008
【図７】
2007196632.tif 000009
【図８】
2007196632.tif 000010
【図９】
2007196632.tif 000011
【図１０】
2007196632.tif 000012
【図１１】
2007196632.tif 000013
【図１２】
2007196632.tif 000014
【図１３】
2007196632.tif 000015
【図１４】
2007196632.tif 000016
【図１５】
2007196632.tif 000017
【図１６】
2007196632.tif 000018
【図１７】
2007196632.tif 000019
【図１８】
2007196632.tif 000020
【図１９】
2007196632.tif 000021
【図２０】
2007196632.tif 000022